(57)【特許請求の範囲】
【請求項１】
グリップの先端にヘッドを設けて構成され、ヘッド底面から工具軸を突出させるとともに、ヘッド内に工具軸の駆動ユニットを内蔵し、工具軸を回転させて歯科治療に用いるようにした歯科用ハンドピースにおいて、
上記ヘッドの左側面部位及び右側面部位の少なくとも一方には上記工具軸の中心線に平行な第１の基準線及び第１の基準線と直交する第２の基準線が設けられており、上記第１の基準線によって歯牙又は骨を穿孔し及び切削する際の歯線に平行な縦方向の基準を与え、上記第２の基準線によって歯牙又は骨を穿孔し及び切削する際の噛み合わせのラインに平行な横方向の基準を与えるようにしたことを特徴とする歯科用ハンドピース。
【請求項２】
上記ヘッドの正面部位には上記工具軸の中心線に平行な第１の基準線及び第１の基準線と直交する第２の基準線が設けられている請求項１記載の歯科用ハンドピース。
【請求項３】
上記ヘッドの頂面部位には相互に交差する方向に延びる第３、第４の基準線が設けられている請求項１記載の歯科用ハンドピース。
【請求項４】
上記第３、第４の基準線は、上面から見たときにその交差位置の少なくとも１つが上記側面部位の第１の基準線の位置と一致するように設けられている請求項３記載の歯科用ハンドピース。
【請求項５】
グリップの先端にヘッドを設けて構成され、ヘッド底面から工具軸を突出させるとともに、ヘッド内に工具軸の駆動ユニットを内蔵し、工具軸を回転させて歯科治療に用いるようにした歯科用ハンドピースにおいて、
上記ヘッドに外嵌されるキャップ状をなし、上記ヘッドに外嵌された時に上記ヘッドの左側面部位及び右側面部位の少なくとも一方に対応する部位に上記工具軸の中心線に平行な第１の基準線及び第１の基準線と直交する第２の基準線が設けられており、上記第１、第２の基準線によって歯牙又は骨を穿孔し及び切削する際の縦方向及び横方向の基準を与えるようにしたことを特徴とする歯科用ハンドピースのヘッドキャップ。
【請求項６】
上記ヘッドの正面部位に対応する部位には上記工具軸の中心線に平行な第１の基準線及び第１の基準線と直交する第２の基準線が設けられている請求項５記載の歯科用ハンドピースのヘッドキャップ。
【請求項７】
上記ヘッドの頂面部位に対応する部位には相互に交差する方向に延びる第３、第４の基準線が設けられている請求項５記載の歯科用ハンドピースのヘッドキャップ。
【請求項８】
上記第３、第４の基準線は上面から見たときにその交差位置の少なくもと１つが上記側面部位の第１の基準線の位置と一致するように設けられている請求項７記載の歯科用ハンドピースのヘッドキャップ。
【請求項９】
熱収縮性の合成樹脂材料を用いて製作されている請求項５ないし８のいずれかに記載の歯科用ハンドピースのヘッドキャップ。
【発明の詳細な説明】
【技術分野】
【０００１】
この発明は歯科用ハンドピースに関し、特に歯科医師の技能に頼ることなく、常に一定以上の治療結果が得られるようにした歯科用ハンドピースに関する。
【背景技術】
【０００２】
例えば、歯牙の穿孔、切削、研磨、あるいは骨の穿孔などの歯科医療にはエアータービンハンドピースやコントラアングルハンドピースなどの歯科用ハンドピースが広く用いられている。
【０００３】
この種のハンドピースは高速エアー流をタービンで受けて工具軸を高速又は低速で回転させ、あるいはマイクロモータによって工具軸を高速又は低速で回転させる方式が採用されている（特許文献１、特許文献２）。
【０００４】
【特許文献１】特開平０９−１９４４２号公報
【特許文献２】特開平０８−３２２８５２号公報
【発明の開示】
【発明が解決しようとする課題】
【０００５】
ところで、歯牙を穿孔し切削しあるいは骨を穿孔する場合にアンダーカットが発生しあるいは穿孔の方向を間違えると、後の治療がうまくできないことがある。例えば、歯牙を穿孔する際に孔の奥方がアンダーカットになると、印象がうまく抜けなくなる。また、人口歯根（インプラント）を形成する場合、残存する骨量によって穿孔の方向を正確にコントロールする必要がある。
【０００６】
しかるに，従来の歯科用ハンドピースでは歯牙の穿孔・切削や骨の穿孔のでき具合は歯科医師の技能に頼らざるを得ず、未熟な歯科医師の場合には円滑な治療ができないおそれがある。
【０００７】
本発明はかかる問題点に鑑み、歯科医師の技能に頼ることなく、常に一定以上の治療結果が得られるようにした歯科用ハンドピースを提供することを課題とする。
【課題を解決するための手段】
【０００８】
本発明に係る歯科用ハンドピースは、グリップの先端にヘッドを設けて構成され、ヘッド底面から工具軸を突出させるとともに、ヘッド内に工具軸の駆動ユニットを内蔵し、工具軸を回転させて歯科治療に用いるようにした歯科用ハンドピースにおいて、上記ヘッドの左側面部位及び右側面部位の少なくとも一方には上記工具軸の中心線に平行な第１の基準線及び第１の基準線と直交する第２の基準線が設けられており、上記第１、第２の基準線によって歯牙又は骨を穿孔し及び切削する際の縦方向及び横方向の基準を与えるようにしたことを特徴とする。
【０００９】
本発明の特徴の１つはハンドピースのヘッドの左右の側面部位の少なくとも一方に工具軸の中心線に平行な第１の基準線及びこれに直交する第２の基準線を設けるようにした点にある。
【００１０】
これにより、第１基準線が歯線に平行に、第２基準線が歯列の上端縁、つまり噛み合わせのラインに平行になるようにハンドピースを操作し、工具軸で歯牙又は骨を穿孔し切削するようにすると、穿孔の方向が狂ったりアンダーカットが発生したりすることはなく、歯科医師のハンドピース操作の技能に頼ることなく正確に治療ができる。
【００１１】
歯牙や骨を正確に穿孔し切削する上で、工具軸の方向を３次元的にコントロールする必要がある。そこで、第１、第２の基準線はヘッドの左右の両側面部位に設けるようにするのがよい。また、ヘッドの正面部位にも第１、第２の基準線を設けるのがよい。
【００１２】
また、第１、第２の基準線は別々に設けるようにしてもよいが、治療中の視認のしやすさを考慮すると、第１、第２の基準線を十字状に設け、第１の基準線は側面や正面から見たときに工具軸の中心軸線上に一致させるようにするのがよい。
【００１３】
さらに、第１、第２の基準線は１本の細線でもよいが、３次元における視認のしやすさを考慮すると、第１、第２の基準線は相互に平行な２本線によって構成し、側面や正面から見たときに２本線の間に工具軸の中心軸線を挟むようにするのがよい。この２本線の間隔は工具軸を挟む得る寸法、例えば１ｍｍ〜５ｍｍの範囲から選ばれる寸法とするのがよい。
【００１４】
また、上述の２本線が細い場合には口腔内で見え難いことがある。かかる場合には第１、第２の基準線を太線で構成するようにしてもよい。
【００１５】
また、治療中の視認のしやすさを考慮すると、ヘッドの頂面部位には相互に直交する方向に延びる第３、第４の基準線を、例えば十字状にあるいは四角形状に設けるようにしてもよい。第３、第４の基準線は上面から見たときにその交差位置の少なくも１つが左右の両側面部位の第１の基準線の位置と一致させるのが好ましい。この第３、第４の基準線は１本の細線でもよく、平行な２本の細線で構成してもよく、さらには太線で構成してもよい。
【００１６】
第１、第２の基準線はヘッドに刻設してもよく、又塗料などを用いて盛り上がり形成するようにしてもよい。
【００１７】
本発明はエアータービンハンドピース、マイクロモータハンドピース、コントラアングルハンドピースなど、各種の歯科用ハンドピースに適用できる。また、本発明はヘッドに第１〜第４の基準線を有するキャップを嵌めることによって既存のハンドピースにも適用することができる。
【００１８】
すなわち、本発明に係る歯科用ハンドピースのヘッドキャップは、グリップの先端にヘッドを設けて構成され、ヘッド底面から工具軸を突出させるとともに、ヘッド内に工具軸の駆動ユニットを内蔵し、工具軸を回転させて歯科治療に用いるようにした歯科用ハンドピースにおいて、上記ヘッドに外嵌されるキャップ状をなし、上記ヘッドに外嵌された時に上記ヘッドの左側面部位及び右側面部位の少なくとも一方に対応する部位に上記工具軸の中心線に平行な第１の基準線及び第１の基準線と直交する第２の基準線が設けられており、上記第１、第２の基準線によって歯牙又は骨を穿孔し及び切削する際の縦方向及び横方向の基準を与えるようにしたことを特徴とする。
【００１９】
このヘッドキャップにおいても、第１、第２の基準線はヘッドの左側面部位及び右側面部位の各々に対応する部位に設けられるのがよく、又ヘッドの正面部位に対応する部位にさらに設けるようにしてもよい。また、第１、第２の基準線は十字状となし、第１の基準線は側面又は正面から見たときに工具軸の中心軸線上に一致させるようにするのが好ましい。さらに、第１、第２の基準線は１本の細線、平行な２本の細線あるいは太線で構成することができる。また、第１、第２の基準線を相互に平行な２本線によって構成する場合、側面又は正面から見たときに２本線の間に工具軸の中心軸線を挟むように設けるのがよい。
【００２０】
さらに、ヘッドの頂面部位に対応する部位には相互に直交する方向に延びる第３、第４の基準線が、例えば十字状あるいは四角形状に設けられるのがよく、又第３、第４の基準線は上面から見たときに交差位置の少なくとも１つを側面部位の第１の基準線の位置と一致するのが好ましい。さらに、この第３、第４の基準線は１本の細線でもよく、平行な２本の細線で構成してもよく、太線で構成してもよい。
【００２１】
ヘッドキャップはヘッドに外嵌でき、しかもその外嵌の状態を維持できれば、特にその材料は限定されない。しかし、歯科用ハンドピースではヘッドの形状が様々であり、各ヘッド形状に応じたヘッドキャップを製造するのは煩雑である。そこで、ヘッドキャップを熱収縮性の合成樹脂材料を用いて製作し、ヘッドに嵌めた後、熱を加えて収縮させて外嵌した状態に保持するようにするのがよい。
【発明を実施するための最良の形態】
【００２２】
以下、本発明を添付図面に示す具体例に基づいて詳細に説明する。図１及び図２は本発明に係る歯科用ハンドピースの好ましい実施形態を示す。図において、ハンドピース１０はグリップ１１の先端にヘッド１２を設けて構成され、ヘッド１２には工具軸１３が底面は突出して交換可能に取付けられ、又ヘッド１２内には工具軸１３を回転させる公知の駆動ユニット（図示せず）、例えばエアータービンが内蔵されている。
【００２３】
また、ヘッド１２の左側面部位１２Ａ、右側面部位１２Ｂ及び正面部位１２Ｃには第１、第２の基準線２０、２１が相互に直交する十字状に形成されている。この第１、第２の基準線２０、２１は相互に例えば２ｍｍ程度の間隔をあけた平行な２本の細線で構成され、第１の基準線２０はヘッド１２を側面及び正面から見たときに２本線の間に工具軸１３を挟むように設定されている。
【００２４】
他方、第２の基準線２１は第１の基準線２０と直交し、しかも左側面部位１２Ａ、右側面部位１２Ｂ及び正面部位１２Ｃの第２の基準線２１が相互に連続するように形成されているが、左側面部位１２Ａ、右側面部位１２Ｂ及び正面部位１２Ｃで別々に形成してもよい。また、左側面部位１２Ａ及び右側面部位１２Ｂの第２の基準線２１はヘッド１２からグリップ１１の途中まで延びており、ハンドピース１０のヘッド１２を奥方に入れて奥歯を治療している時にも第２の基準線２１を視認できるようにしている。
【００２５】
また、ヘッド１２の頂面部位１２Ｄには相互に直交する第３、第４の基準線２２、２３が十字状に形成されている。この第３、第４の基準線２２、２３は相互に例えば２ｍｍ程度の間隔をあけた平行な２本線で構成され、第３、第４の基準線２２、２３は上面から見たときに左右の両側面部位１２Ａ、１２Ｂ及び正面部位１２Ｃの第１の基準線２０の位置と一致して連続し、しかも第３、第４の基準線２２、２３の交差の中心が工具軸１３の中心軸線と一致するように設定されている。
【００２６】
歯牙３０に穿孔する場合、ハンドピース１０のグリップ１１を手で握り、ヘッド１２の工具軸１３を回転させ、歯牙３０を穿孔する。
【００２７】
このとき、図３に示されるように、３つの第１の基準線２０が他の歯牙３１の歯線ａと平行になり、しかも第２の基準線２１が歯牙３０，３１の上端縁ｂに平行になり、さらに第３、第４の基準線２２、２３の交点が歯牙３０の穿孔する中心に来るように、グリップ１１を操作すると、工具軸１３を高い精度で位置及び方向をコントロールしながら歯牙３０を穿孔することができ、歯科医師のハンドピース１０の操作の技能に関係なく、歯牙３０を正確に、つまり孔の奥方にアンダーカットが発生することなく穿孔できる。
【００２８】
また、人口歯根を形成するために骨に穿孔する場合、図４に示すように、上記と同様にして工具軸１３を高い精度で位置及び方向をコントロールしながら骨３２に孔３３を穿孔することができる。
【００２９】
このとき、骨３２の量が少ない場合、歯牙３１の歯線ａと平行に所定の深さの孔３３を形成しようとすると、神経を傷めるおそれがある。かかる場合には孔３３を歯線ａに対して角度をもたせて、つまり傾斜して穿孔すれば、歯科医師のハンドピース１０の操作の技能に関係なく、第１〜第４の基準線２０〜２３を縦方向及び横方向の基準にして傾斜した孔３３を正確に形成することができる。
【００３０】
さらに、図５に示すように、歯牙３０を切削する場合には上記と同様に第１〜第４の基準線２０〜２３を縦方向及び横方向の基準として歯牙３０の表面３４を切削すればよく、アンダーカットを起こすことなく正確に切削できる。
【００３１】
図６及び図７は第２の実施形態を示し、図において図１及び図２と同一符号は同一又は相当部分を示す。本例ではヘッド１２の左側面部位１２Ａ及び右側面部位１２Ｂの中央及びグリップ側の端部には第１の基準線２０’が各々形成され、これらの第１の基準線２０’は１本の太線によって構成されている。
【００３２】
また、ヘッド１２の左側面部位１２Ａ、右側面部位１２Ｂ及び正面部位１２Ｃには第２の基準線２１’が第１の基準線２０’と直交する方向に連続して形成され、この第２の基準線２１’は１本の太線によって構成されている。
【００３３】
さらに、ヘッド１２の頂面部位１２Ｄには各々２本の第３、第４の基準線２２’、２３’が相互に直交する方向に延びて四角形状に形成されている。この第３、第４の基準線２２’、２３’は１本の太線で構成され、第３、第４の基準線２２’、２３’は上面から見たときに四角形状の左右の頂点がヘッド１２の左右の両側面部位１２Ａ、１２Ｂの第１の基準線２０の位置と一致するように設定されている。
【００３４】
本例の歯科用ハンドピースにおいても第１の実施形態と同様の作用効果を奏することは容易に理解できるので、その詳細な説明は省略する。
【００３５】
図８及び図９は本発明に係る歯科用ハンドピースのヘッドキャップの好ましい実施形態を示す。図において図１及び図２と同一符号は同一又は相当部分を示す。ヘッドキャップ４０は熱収縮し得る公知の合成樹脂材料を用いて歯科用ヘッドピース１０のヘッド１２に外嵌し得る立体形状に製作され、底面及び背面は開放されている。
【００３６】
ヘッドキャップ４０をヘッド１２に外嵌した時にヘッド１２の左側面部位１２Ａ、右側面部位１２Ｂ及び正面部位１２Ｃに対応するヘッドキャップ４０の左側面部位４０Ａ、右側面部位４０Ｂ及び正面部位４０Ｃには相互に例えば２ｍｍの間隔の平行な２本な細線で構成される第１、第２の基準線２０、２１が相互に直交する十字状に形成されている。
【００３７】
第１の基準線２０はヘッドキャップ４０をヘッド１２に外嵌した後ヘッド１２を側面及び正面から見たときに２本線の間に工具軸１３を挟むように設定され、又第２の基準線２１は第１の基準線２０と直交し、しかも左側面部位４０Ａ、右側面部位４０Ｂ及び正面部位４０Ｃの第２の基準線２１が相互に連続するように設定されている。
【００３８】
また、ヘッドキャップ４０の頂面部位４０Ｄには相互に例えば２ｍｍの間隔の平行な２本線で構成される第３、第４の基準線２２、２３が相互に直交する十字状に形成され、第３、第４の基準線２２、２３はヘッドキャップ４０をヘッド１２に外嵌した後ヘッド１２を上面から見たときに左右の両側面部位４０Ａ、４０Ｂ及び正面部位４０Ｃの第１の基準線２０の位置と一致して連続し、しかも第３、第４の基準線２２、２３の交差の中心が工具軸１３の中心軸線と一致するように設定されている。
【００３９】
本例のヘッドキャップ４０はヘッド１２に外嵌し、熱風を吹き付けるなどして熱を加えると収縮し、ヘッドキャップ４０をヘッド１２に強固に固定することができ、治療中にヘッドキャップ４０が外れたりすることはなく、安心して治療できる。
【図面の簡単な説明】
【００４０】
【図１】本発明に係る歯科用ハンドピースの好ましい実施形態を示す概略斜視図である。
【図２】上記実施形態におけるヘッドの平面、左右両側面、正面及び各面における第１〜第４の基準線を示す図である。
【図３】上記実施形態における使用例を示す図である。
【図４】他の使用例を示す図である。
【図５】更に他の使用例を示す図である。
【図６】第２の実施形態を示す概略斜視図である。
【図７】上記実施形態におけるヘッドの平面、左右両側面、正面及び各面における第１〜第４の基準線を示す図である。
【図８】本発明に係る歯科用ハンドピースのヘッドキャップの好ましい実施形態を示す概略斜視図である。
【図９】上記実施形態の底方から見た状態を示す斜視図である。
【符号の説明】
【００４１】
１０      ハンドピース              １１      クリップ
１２      ヘッド
１２Ａ      左側面部位            １２Ｂ      右側面部位
１２Ｃ      正面部位              １２Ｄ      頂面部位
１３        工具軸
２０、２０’        第１の基準線
２１、２１’        第２の基準線
２２、２２’      第３の基準線
２３、２３’      第４の基準線
３０、３２        歯牙
３２        骨                    ３３        孔
４０        ヘッドキャップ
４０Ａ      左側面部位            ４０Ｂ      右側面部位
４０Ｃ      正面部位              ４０Ｄ      頂面部位
【図１】
0004739918.tif 000002
【図２】
0004739918.tif 000003
【図３】
0004739918.tif 000004
【図４】
0004739918.tif 000005
【図５】
0004739918.tif 000006
【図６】
0004739918.tif 000007
【図７】
0004739918.tif 000008
【図８】
0004739918.tif 000009
【図９】
0004739918.tif 000010